(57)【要約】【課題】通信端末（携帯端末）の遠隔制御の利用範囲を拡げる。【解決手段】制御端末３において、ネットワーク５に接続された携帯端末２の位置を取得し、この位置に基づいて所望の携帯端末２を制御対象端末として特定する。例えば、事故現場に近い携帯端末２を制御対象端末として特定する。そして、この特定した制御対象端末２が有する機能のうち、所望の機能（例えば、画像入力機能）を制御対象機能として指定し、その制御対象機能の動作をネットワーク５を介して遠隔制御する。【選択図】  図１
2006060277.tif 000002
【特許請求の範囲】
【請求項１】
ネットワークに接続された複数の通信端末の現在の位置を取得するステップと、
前記取得した通信端末の現在の位置に基づいて所望の通信端末を制御対象端末として特定するステップと、
前記制御対象端末が有する機能のうち所望の機能を制御対象機能として指定するステップと、
前記制御対象端末が有する前記制御対象機能の動作を前記ネットワークを介して遠隔制御するステップと
を備えたことを特徴とする通信端末の遠隔制御方法。
【請求項２】
サーバと、複数の通信端末と、制御端末と、これらサーバと複数の通信端末と制御端末とを接続するネットワークとを備え、前記制御端末から前記ネットワークを介して前記通信端末を遠隔制御する通信端末の遠隔制御システムにおいて、
前記制御端末は、
前記ネットワークを介して前記通信端末の現在の位置を取得する手段と
前記取得した通信端末の現在の位置に基づいて特定される所望の通信端末を制御対象端末とし、この制御対象端末が有する機能のうち指定される所望の機能を制御対象機能とし、前記制御対象端末が有する前記制御対象機能の動作を前記ネットワークを介して遠隔制御する手段と
を備えたことを特徴とする通信端末の遠隔制御システム。
【発明の詳細な説明】
【技術分野】
【０００１】
この発明は、各種の機能を有する通信端末の遠隔制御方法およびシステムに関するものである。
【背景技術】
【０００２】
従来より、この種の通信端末の遠隔制御方法として、携帯端末の画面に表示させたウェッブサイト上で、制御対象の他の携帯端末の電話番号および認証情報と制御内容を入力し、認証が得られた場合に、その入力した制御内容に基づいて制御対象の他の携帯端末の動作（アドレス帳転送、着信音の設定、一時ロックなど）をネットワークを介して遠隔制御するということが行われている（例えば、特許文献１、２参照）。
【０００３】
【特許文献１】特開２００１−３５９１５７号公報
【特許文献２】特開２００２−０７７４３８号公報
【発明の開示】
【発明が解決しようとする課題】
【０００４】
しかしながら、上述した従来の通信端末の遠隔制御方法によると、制御対象の他の携帯端末の現在の位置が分からないため、その携帯端末に内蔵されたカメラを利用して近くで起きた突発的な事故の現場を遠隔制御で撮影するなどの要望に応えることができず、携帯端末の遠隔制御の利用範囲が狭かった。
【０００５】
本発明は、このような課題を解決するためになされたもので、その目的とするところは、通信端末の遠隔制御の利用範囲を拡げることができる通信端末の遠隔制御方法およびシステムを提供することにある。
【課題を解決するための手段】
【０００６】
このような目的を達成するために本発明は、ネットワークに接続された複数の通信端末の現在の位置を取得するステップと、取得した通信端末の現在の位置に基づいて所望の通信端末を制御対象端末として特定するステップと、制御対象端末が有する機能のうち所望の機能を制御対象機能として指定するステップと、制御対象端末が有する制御対象機能の動作をネットワークを介して遠隔制御するステップとを設けたものである。
【０００７】
この発明によれば、例えば突発的な事故が起きたような場合、ネットワークに接続された複数の通信端末の現在の位置を取得する。そして、この取得した通信端末の現在の位置に基づき、突発的な事故が起きた現場に近い通信端末を制御対象端末として特定する。そして、この特定した制御対象端末の例えば音声出力機能や電子メール機能などを利用し、「事故現場に急行し、内蔵されているカメラを事故現場に向ける」など遠隔制御ではできない指示を制御対象端末の使用者に出す。そして、制御対象端末が有する画像入力機能を制御対象機能として指定し、その制御対象機能の動作（カメラの撮像方向の調整、ズーム調整、シャッタのオン／オフなど）を遠隔制御する。
なお、本発明は、上述した方法を適用した通信端末の遠隔制御システムとしても構成することができる。
【発明の効果】
【０００８】
本発明によれば、例えば突発的な事故が起きたような場合、ネットワークに接続された複数の通信端末の現在の位置を取得し、この取得した通信端末の現在の位置に基づいて突発的な事故が起きた現場に近い通信端末を見つけ出し、その通信端末の画像入力機能を制御対象機能として指定するなどして、事故の現場を遠隔制御で撮影することが可能となり、通信端末の遠隔制御の利用範囲を拡げることができるようになる。
【発明を実施するための最良の形態】
【０００９】
以下、本発明を図面に基づいて詳細に説明する。図１は本発明の実施に用いる通信端末の遠隔制御システムの一例を示すシステム構成図である。同図において、１はサーバ、２−１〜２−ｎは携帯端末（通信端末）、３は制御端末、４は基地局であり、これらはインターネット等のネットワーク５を介して相互に接続されている。
【００１０】
なお、この実施の形態では、制御端末３としてパーソナルコンピュータを使用しているが、ＰＤＡ（Personal Digital Assistant）などの携帯端末６を使用してもよい。また、図１には基地局４を１つしか示していないが、実際には基地局４は複数存在し、携帯端末２−１〜２−ｎは自己が属する通信エリアの基地局４を介してネットワーク５に接続される。
【００１１】
携帯端末２（２−１〜２−ｎ）は、図２に示すように、基地局４とワイヤレスで通信するために必要な通信装置２ａと、携帯端末２の使用者に視覚情報を伝達する表示装置２ｂと、静止画や動画を入力するカメラなどで構成される画像入力装置２ｃと、スピーカーなどの音声出力装置２ｄと、マイクなどの音声入力装置２ｅと、携帯端末２内の各装置を制御する演算処理装置２ｆと、ＧＰＳ機能により携帯端末２の現在の位置を求める端末位置取得装置２ｇと、ブルートゥース（Bluetooth）やＩｒＤＡ（Infrared Data Association）、シリアルケーブルなどの外部通信装置２ｈなど、各種の機能（リソース）を有している。
【００１２】
図３に制御端末３のハード構成の概略を示す。同図において、３−１はＣＰＵ、３−２はＲＡＭ、３−３はＲＯＭ、３−４はハードディスクなどの記憶装置、３−５〜３−７はインターフェイス、３−８はディスプレイ、３−９はキーボード、３−１０はマウスである。ＣＰＵ３−１は、インターフェイス３−５〜３−７を介して与えられる各種入力情報を得て、ＲＡＭ３−２にアクセスしながら、ＲＯＭ３−３や記憶装置３−Infrared Data Association４に格納されたプログラムに従って動作する。
【００１３】
記憶装置３−４には、本実施の形態特有のプログラムとして、携帯端末の遠隔制御プログラムが格納されている。この携帯端末の遠隔制御プログラムは、例えばＣＤ−ＲＯＭなどの記録媒体に記録された状態で提供され、この記録媒体から読み出されて記憶装置３−４にインストールされている。
【００１４】
〔サーバへの携帯端末の情報の登録〕
サーバ１にはこのシステムで使用される携帯端末２の情報が登録される。この携帯端末２の情報の登録は次のようにして行われる。先ず、携帯端末２からネットワーク５を介してサーバ１にアクセスし（図４に示すステップ４０１）、携帯端末２の電話番号や携帯端末２が保有している機能（装置２ａ〜２ｈ）の情報を伝達する（ステップ４０２）。
【００１５】
次に、携帯端末２からサーバ１に対し、自端末の他装置からの制御許可／非許可の設定を行う（ステップ４０３）。また、自端末の機能（装置２ａ〜２ｈ）の他装置からの制御許可／非許可の設定を行う（ステップ４０４）。なお、サーバ１には、登録された携帯端末２毎に、その携帯端末２から定期的に送られてくる現在位置が記憶される。
【００１６】
〔制御端末での携帯端末の遠隔制御〕
以下、図５に示すフローチャートを参照して、携帯端末の遠隔制御プログラムに従って制御端末３のＣＰＵ３−１が実行する処理動作について説明する。
例えば、今、突発的な事故が起き、報道関係者がすぐに現場に駆けつけられない状況にあるものとする。このような場合、操作者は、制御端末３からネットワーク５を介してサーバ１にアクセスし（ステップ５０１）、サーバ１に登録されている携帯端末２の現在位置を取得する（ステップ５０２）。
【００１７】
この実施の形態では、突発的な事故が起きた地域を入力することにより、その地域に位置している携帯端末２の現在位置を取得する。この携帯端末２の位置は、制御端末３のディスプレイ３−８上に、番地などを付して表形式で表示される。なお、その地域の地図をディスプレイ３−８上に表示し、その地図中に携帯端末２の現在位置を表示するようにしてもよい。
【００１８】
操作者は、このディスプレイ３−８上に表示される携帯端末２の位置に基づき、事故現場に近い携帯端末２を制御対象端末として特定する（ステップ５０３）。制御端末３は、制御対象端末２が特定されると、その制御対象端末２に対する端末機能借用要求通知をサーバ１へ送る（ステップ５０４）。
【００１９】
サーバ１は、制御端末３から端末機能借用要求通知が送られてくると、制御対象端末２について他装置からの制御許可の設定が行われているか否かを確認し、他装置からの制御許可が設定されていれば、受諾する旨の返答を制御端末３へ返す。制御端末３では、サーバ１から受諾する旨の返答を受けると（ステップ５０５のＹＥＳ）、制御対象端末２の遠隔制御を開始する（ステップ５０６）。
【００２０】
なお、上述においては、サーバ１において、制御対象端末２について他装置からの制御許可の設定が行われているか否かを確認するようにしたが、サーバ１から制御対象端末２に端末機能借用要求通知を送り、制御対象端末２の使用者にその時点で受諾可能か否かを確認するようにしてもよい。この受諾の確認は、使用者がその場でＹＥＳ／ＮＯを選択したり、制御対象端末２に予め設定している情報を参照して行うことができるものとする。
【００２１】
制御対象端末２の遠隔制御は次のようにして行う。先ず、操作者は、制御対象端末２が有する機能のうち使用したい所望の機能を制御対象機能として指定する（図６に示すステップ６０１）。ここでは、制御対象機能として音声出力機能を指定する。この指定した機能は制御端末３よりサーバ１へ送られる。サーバ１は、制御端末３から送られてくる制御対象端末２の制御対象機能について、他装置からの制御許可の設定が行われているか否かを確認し、他装置からの制御許可が設定されていれば、受諾する旨の返答を制御端末３へ返す。
【００２２】
制御端末３では、サーバ１から受諾する旨の返答を受けると（ステップ６０２のＹＥＳ）、操作内容を入力する（ステップ６０３）。ここでは、操作内容（制御対象機能の動作）として、「事故現場に急行し、内蔵されているカメラを事故現場に向ける」旨の音声出力の指示を入力する。この指示はネットワーク５を介して制御対象端末２に送られる。制御対象端末２は、制御端末３からの指示を受けて、音声出力装置２ｅを作動させる。これにより、「事故現場に急行し、内蔵されているカメラを事故現場に向ける」旨の指示が、制御対象端末２の使用者に音声で伝えられる。なお、制御対象機能として電子メール機能（図示せず）を指定し、制御対象端末２に文書によるメッセージを送るようにしてもよい。
【００２３】
次に、操作者は、制御対象機能として画像入力機能を指定する（ステップ６０１）。この指定した機能は制御端末３よりサーバ１へ送られる。サーバ１は、制御端末３から送られてくる制御対象端末２の制御対象機能（この場合、画像入力機能）について、他装置からの制御許可の設定が行われているか否かを確認し、他装置からの制御許可が設定されていれば、受諾する旨の返答を制御端末３へ返す。
【００２４】
制御端末３では、サーバ１から受諾する旨の返答を受けると（ステップ６０２のＹＥＳ）、操作内容を入力する（ステップ６０３）。ここでは、操作内容（制御対象機能の動作）として、内蔵されたカメラの撮像方向の調整やズームの調整、シャッタのオン／オフなどの操作指示を入力する。この操作指示はネットワーク５を介して制御対象端末２に送られる。制御対象端末２は、制御端末３からの操作指示を受けて、画像入力装置２ｃを作動させる。これにより、制御対象端末２に内蔵されたカメラの撮像方向やズーム、シャッタのオン／オフなどが調整され、事故の現場が遠隔制御で撮影されるものとなる。
【００２５】
なお、制御端末３は、遠隔制御を行っているときに、制御終了要求がサーバ１や制御対象端末２から出された場合（ステップ６００のＹＥＳ）、直ちにその処理を終了する。
【００２６】
また、上述においては、制御対象機能として画像入力機能を指定するものとしたが、音声入力機能などを指定してもよい。画像入力機能と音声入力機能を指定することにより、事故現場の映像と合わせて音声を取得することができ、多彩な現場の情報を入手することが可能となる。
【００２７】
また、上述においては、遠隔制御の一例として突発的な事故が起きた場合について説明したが、例えば交通渋滞が生じている現場の情報を入手したりするなど、他にも色々な場面で同様の遠隔制御を利用することができる。
【００２８】
また、携帯端末２の演算処理機能（演算処理装置２ｆ）を外部から利用することも可能であり、携帯端末２の演算処理装置２ｆの処理能力に余裕がある場合、その演算処理能力を外部に貸し出すことができる。
【図面の簡単な説明】
【００２９】
【図１】本発明の実施に用いる通信端末の遠隔制御システムの一例を示すシステム構成図である。
【図２】この遠隔制御システムにおける携帯端末が有する各種の機能を例示する図である。
【図３】この遠隔制御システムにおける制御端末のハード構成の概略を示す図である。
【図４】サーバへの携帯端末の情報の登録の流れを示すフローチャートである。
【図５】制御端末での携帯端末の遠隔制御の流れを示すフローチャートである。
【図６】制御対象端末の外部からの遠隔制御の流れを示すフローチャートである。
【符号の説明】
【００３０】
１…サーバ、２（２−１〜２−ｎ）…携帯端末、３…制御端末、４…基地局、５…ネットワーク、６…携帯端末（ＰＤＡ）、２ａ…通信装置、２ｂ…表示装置、２ｃ…画像入力装置、２ｄ…音声出力装置、２ｅ…音声入力装置、２ｆ…演算処理装置、２ｇ…端末位置取得装置、２ｈ…外部通信装置、３−１…ＣＰＵ、３−２…ＲＡＭ、３−３…ＲＯＭ、３−４…記憶装置、３−５〜３−７…インターフェイス、３−８…ディスプレイ、３−９…キーボード、３−１０…マウス。
【図１】
2006060277.tif 000003
【図２】
2006060277.tif 000004
【図３】
2006060277.tif 000005
【図４】
2006060277.tif 000006
【図５】
2006060277.tif 000007
【図６】
2006060277.tif 000008